(57)【要約】【課題】  支持部材に対して取付部材を容易に取り付けることができるガスメータの支持装置を提供する。【解決手段】取付部材３の縦板部４の上端部に係合凹部４ａを形成する。この係合凹部４ａに支持バー２Ａを挿入することにより、取付部材３を支持バー２Ａによって支持させる。縦板部４をボルト８及び係合板７によって支持バー２Ｂに固定する。【選択図】図３
2007225375.tif 000002
【特許請求の範囲】
【請求項１】
支持部材と、この支持部材に固定手段によって固定された取付部材と、上記取付部材に設けられた一次側接続管及び二次側接続管とを備え、上記一次側接続管の下流側端部と上記二次側接続管の上流側端部とに、ガスメータの導入口及び導出口がそれぞれ固定されることにより、上記ガスメータを支持するガスメータの支持装置において、
上記取付部材には、下方に向かって開放され係合凹部が形成され、上記支持部材が上記係合凹部にその開放部から上記係合凹部の底部に突き当たるまで挿入されることにより、上記取付部材が上記支持部材に支持されることを特徴とするガスメータの支持装置。
【請求項２】
上記取付部材が、いずれも金属製の板材からなる縦板部及び載置板部を有し、上記縦板部が上下に起立した状態で配置され、上記載置板部が上記縦板部から前方へ延びるようにほぼ水平に配置され、上記載置板部の基端部が上記縦板部に固定されていることを特徴とする請求項１に記載のガスメータの支持装置。
【請求項３】
上記固定手段が、上記支持部材と上記縦板部とのいずれか一方を前後方向に貫通して他方に螺合されたボルトを有し、このボルトを締め付けることによって上記縦板部が上記支持部材に固定されていることを特徴とする請求項２に記載のガスメータの支持装置。
【請求項４】
上記係合凹部が、上記縦板部の上端部、この上端部から後方に向かって突出する底板部、及びこの底板部の先端部から下方に向かって突出し、上記縦板部の上端部と前後に対向する後板部とによって区画され、上記支持部材が上記縦板部の上端部及び上記後板部に接触することにより、上記係合凹部に前後方向へ移動不能に挿入されていることを特徴とする請求項３に記載のガスメータの支持装置。
【請求項５】
上記取付部材が、上記載置板部にほぼ水平に取り付けられる支持板部をさらに有し、上記支持板部の左右両端部に上記一次側接続管及び上記二次側接続管が設けられていることを特徴とする請求項２〜４のいずれかに記載のガスメータの支持装置。
【請求項６】
上記載置板部の基端側の端部には、上記一次側接続管の上流側端部及び上記二次側接続管の下流側端部がそれぞれ連結具を介して固定される二つの連結部が設けられていることを特徴とする請求項２〜５のいずれかに記載のガスメータの支持装置。
【発明の詳細な説明】
【技術分野】
【０００１】
この発明は、集合住宅のパイプシャフトと称されるスペース等にガスメータを設置するのに好適なガスメータの支持装置に関する。
【背景技術】
【０００２】
従来のこの種のガスメータの支持装置は、下記特許文献１に記載されているように、水平に配置された支持バー（支持部材）と、この支持バーに固定手段によって固定された取付部材とを有している。取付部材には、一次側及び二次側接続管が取り付けられる。一次側接続管の下流側端部と二次側接続管の上流側端部とには、ガスメータの導入口及び導出口がそれぞれ接続固定される。これにより、ガスメータが支持される。なお、一次側接続管の上流側端部及び二次側接続管の下流側端部には、フレキシブルガス管がそれぞれ接続される。
【０００３】
取付部材を支持バーに取り付ける固定手段は、二本のＵボルトを有している。Ｕボルトは、その二本の脚部が支持バーを背後から上下に跨ぐように配置され、二本の脚部の先端部が取付部材のねじ挿通孔にそれぞれ挿通される。取付部材を貫通した各脚部の先端部には、ナットが螺合される。このナットを締め付けることにより、取付部材が支持バーに押圧固定される。
【０００４】
【特許文献１】特許第３１０８６４７号公報
【発明の開示】
【発明が解決しようとする課題】
【０００５】
上記従来のガスメータの支持装置において、取付部材を支持バーに取り付ける際には、取付部材を一方の手で支持しながら他方の手でＵボルトの二本の脚部をボルト挿通孔に挿通し、さらにナットを締め付けなければならない。これは、困難かつ面倒な作業であった。特に、ガスメータが予め取り付けられた取付部材を支持バーに取り付けるような場合には重量の大きいガスメータを一方の手で支持しなければならず、作業の困難性がさらに大きかった。このため、取付部材の支持部材への取り付けに多くの時間を要するという問題があった。
【課題を解決するための手段】
【０００６】
この発明は、上記の問題を解決するために、支持部材と、この支持部材に固定手段によって固定された取付部材と、上記取付部材に設けられた一次側接続管及び二次側接続管とを備え、上記一次側接続管の下流側端部と上記二次側接続管の上流側端部とに、ガスメータの導入口及び導出口がそれぞれ固定されることにより、上記ガスメータを支持するガスメータの支持装置において、上記取付部材には、下方に向かって開放され係合凹部が形成され、上記支持部材が上記係合凹部にその開放部から上記係合凹部の底部に突き当たるまで挿入されることにより、上記取付部材が上記支持部材に支持されることを特徴としている。
この場合、上記取付部材が、いずれも金属製の板材からなる縦板部及び載置板部を有し、上記縦板部が上下に起立した状態で配置され、上記載置板部が上記縦板部から前方へ延びるようにほぼ水平に配置され、上記載置板部の基端部が上記縦板部に固定されていることが望ましい。
上記固定手段が、上記支持部材と上記縦板部とのいずれか一方を前後方向に貫通して他方に螺合されたボルトを有し、このボルトを締め付けることによって上記縦板部が上記支持部材に固定されていることが望ましい。
上記係合凹部が、上記縦板部の上端部、この上端部から後方に向かって突出する底板部、及びこの底板部の先端部から下方に向かって突出し、上記縦板部の上端部と前後に対向する後板部とによって区画され、上記支持部材が上記縦板部の上端部及び上記後板部に接触することにより、上記係合凹部に前後方向へ移動不能に挿入されていることが望ましい。
上記取付部材が、上記載置板部にほぼ水平に取り付けられる支持板部をさらに有し、上記支持板部の左右両端部に上記一次側接続管及び上記二次側接続管が設けられていることが望ましい。
上記載置板部の基端側の端部には、上記一次側接続管の上流側端部及び上記二次側接続管の下流側端部がそれぞれ連結具を介して固定される二つの連結部が設けられていることが望ましい。
【発明の効果】
【０００７】
上記特徴構成を有するこの発明によれば、取付部材を固定手段によって支持部材に固定する前に、支持部材を係合凹部に挿入することにより、取付部材を支持部材に支持させることができる。したがって、固定手段による固定作業時には、一方の手で取付部材を支持する必要がなく、両手を自由に使用することができる。よって、固定手段による固定作業を容易に行うことができ、取付部材を支持部材に容易に取り付けることができる。
【発明を実施するための最良の形態】
【０００８】
以下、この発明を実施するための最良の形態を、図面を参照して説明する。
図１〜図８は、この発明の第１実施の形態を示す。この実施の形態に係るガスメータの支持装置１は、集合住宅のパイプシャフトと称される縦長の空間内にガスメータ（いずれも図示せず）を設置する際に用いられるものであり、２本の支持バー（支持部材）２Ａ，２Ｂを有している。２本の支持バー２Ａ，２Ｂは、長手方向を左右方向に向けて水平に配置されており、両端部がパイプシャフトの左右の側壁に固定されている。しかも、２本の支持バー２Ａ，２Ｂは、前後方向には同一位置に、上下方向には所定距離だけ互いに離間して配置されている。支持バー２Ａ，２Ｂは、支持装置１専用に製作してパイプシャフト内に設置することも可能である。また、ガスメータの支持とは異なる用途のために、例えば水道メータや電気メータの支持という用途のために、パイプシャフト内に２本のＣ型チャンネルが予め設置されているような場合には、その２本のＣ型チャンネルを支持部材２Ａ，２Ｂとして用いることができる。この実施の形態では、２本のＣ型チャンネルが支持装置１専用の支持バー２Ａ，２Ｂとして用いられており、各Ｃ型チャンネルは、開放部を前方に向けて配置されている。
【０００９】
２本の支持バー２Ａ，２Ｂには、取付部材３が着脱可能に取り付けられている。取付部材３は、縦板部４、載置板部５及び支持板部６を有している。
【００１０】
縦板部４は、金属製の板材からなるものであり、特に図５〜図８に示すように、上下に起立した状態で配置されている。縦板部４の上端部には、係合凹部４ａが形成されている。この係合凹部４ａは、縦板部４の上端部と、縦板部４の上端から後方（図７の右方）へ向かって突出する底板部４ｂと、この底板部４ｂの後端から下方に向かって突出する後板部４ｃとにより、下方及び左右両側方が開放された左右方向に延びる断面四角形の凹部として形成されている。この係合凹部４ａには、上側の支持バー２Ａが挿脱可能に挿入されており、支持バー２Ａの上面が係合凹部４ａの底面に、つまり底板部４ｂに突き当たっている。これにより、縦板部４が支持バー２Ａに支持されている。しかも、縦板部４の上端部及び後板部４ｃが支持バー２Ａの前面及び背面にそれぞれ接触している。したがって、係合凹部４ａに支持バー２Ａを挿入すると、縦板部４が支持バー２Ａに対して前後方向へ移動不能になる。
【００１１】
縦板部４の中央部には、ボルト挿通孔４ｄが形成されている。このボルト挿通孔４ｄは、長手方向を上下方向に向けた長孔として形成されており、その長手方向の少なくとも一部が支持バー２Ｂの前面の上下方向における中央部と対向するように配置されている。換言すれば、ボルト挿通孔４ｄの少なくとも一部が支持バー２Ｂの上下方向の中央部と対向することができるようにするために、ボルト挿通孔４ｄが上下方向に長い長孔として形成されているのである。
【００１２】
支持バー２Ｂのボルト挿通孔４ｄと対向する箇所には、図３及び図７に示すように、係合板７が左右方向へ移動可能に、かつ前方へ移動不能に係合されている。この係合板７には、ボルト挿通孔４ｄをその前方から貫通して支持バー２Ｂ内に挿入されたボルト８が螺合されている。このボルト８を締め付けると、縦板部４の上下方向の中央部が支持バー２Ｂの前面に押圧固定され、ひいては取付部材３が支持バー２Ｂに押圧固定される。これから明らかなように、この実施の形態では、取付部材３を支持バー２Ｂに固定するための固定手段がボルト８及び係合板７によって構成されている。ボルト８は、係合板７を介して支持バー２Ｂに螺合させることなく、支持バー２Ｂに直接螺合させてもよい。また、ボルト８は、支持バー２Ｂをその背面から貫通した後、縦板部４に螺合させてもよい。
【００１３】
係合凹部４ａに支持バー２Ａが挿入されるととともに、縦板部４の中央部が支持バー２Ｂに押圧固定されることにより、縦板部４ひいては取付部材３が支持バー２Ａ，２Ｂに支持固定されている。
【００１４】
載置板部５は、金属製の平板を曲げ加工することによって形成されたものであり、前方へ向かって水平に延びる上板部５ａと、この上板部５ａの左右両側部からそれぞれ下方に向かって突出する側板部５ｂ，５ｃとを有している。上板部５ａには、その基端部から上方へ向かって延びる連結板部５ｄが形成されている。この連結板部５ｄは、縦板部４のボルト挿通孔４ｄより若干上側の部分に形成された貫通孔４ｅを通り、縦板部４の背面に沿って延びている。また、側板部５ｂ，５ｃの後方を向く端面が縦板部４の前面に突き当てられている。そして、連結板部５ｄ及び側板部５ｂ，５ｃが縦板部４の背面と前面とにそれぞれ溶接等の固定手段によって固定されることにより、載置板部５が縦板部４に固定されている。
【００１５】
図１〜図４に示すように、支持板部６は、金属製の平板からなるものであり、平面視長方形状に形成されている。支持板部６は、その長手方向を左右方向に向けた状態で水平に配置されている。そして、支持板部６の左右方向の中央部が載置板部５の上板部５ａ上に載置されている。支持板部６の左右方向における中央部には、二つのボルト挿通孔（図示せず）が前後方向へ互いに離間して配置されている。各ボルト挿通孔には、ボルト９が下方に向かって挿通されている。ボルト９は、上板部５ａに形成された前後方向に延びる長孔５ｅを貫通して上板部５ａから下方に突出しており、そこにはナット１０が螺合されている。そして、ボルト９及びナット１０を締め付けることにより、支持板部６が載置板部５の上板部５ａに固定されている。勿論、支持板部６は、ボルト９及びナット１０を緩めることにより、長孔５ｅの長さの範囲内において前後方向へ位置調節可能である。
【００１６】
支持板部６の左側の端部にはガス栓（一次側接続管）１１が設けられ、右側の端部には分配管（二次側接続管）１２が設けられている。ガス栓１１及び分配管１２は、それぞれの上流側端部１１ａ，１２ａ及び下流側端部１１ｂ，１２ｂを下方に向けた状態で配置されている。ガス栓１１の上流側端部１１ａには、元栓（図示せず）に接続されたフレキシブルガス管（図示せず）が接続される。分配管１２の下流側端部１２ｂには、家庭内に引き込まれるフレキシブルガス管（図示せず）が接続される。ガス栓１１の下流側端部１１ｂと分配管１２の上流側端部１２ａとには、ガスメータの導入口及び導出口（いずれも図示せず）が接続ナット１３，１４によって接続される。これにより、ガスメータが取付部材３にガス栓１１及び分配管１２を介して支持されている。
【００１７】
図５〜図８に示すように、載置板部５の側板部５ｂ，５ｃの基端部には、連結片部５ｆ，５ｇがそれぞれ形成されている。図１〜図４に示すように、一方の連結片部５ｆには、ガス栓１１の上流側端部１１ａが連結具１５を介して連結固定され、他方の連結片部５ｇには、分配管１２の下流側端部１２ｂが連結具１６を介して連結固定されている。この結果、ガス栓１１及び／又は分配管１２を介して載置板部５に作用するガスメータ等の荷重の一部が、載置板部５の基端部によって支持されることになり、荷重の全てが載置板部５の中央部から先端側の部分において支持される場合に比して載置板部５の変形を少なくすることができる。
【００１８】
連結具１５は、一対の挟持片１５ａ，１５ｂと、この挟持片１５ａ，１５ｂの一端部どうしを回動可能に連結するヒンジ１５ｃとを有している。挟持片１５ａ，１５ｂの半円状をなす一端部は、ガス栓１１の上流側端部１１ａの外周に挟持状態で押し付けられている。連結片１５ａ，１５ｂの他端部は、連結片部５ｆに螺合されたボルト１７によって連結片５ｆに固定されている。これにより、ガス栓１１の上流側端部１１ａが連結片部５ｆに連結具１５を介して連結固定されている。連結具１６は、連結具１５と同様に構成されており、挟持片１６ａ，１６ｂ及びヒンジ１６ｃを有している。そして、挟持片１６ａ，１６ｂによって分配管１２の下流側端部１２ｂが挟持されるとともに、挟持片１６ａ，１６ｂの他端部が連結片５ｇに螺合されたボルト１９によって連結片部５ｇに固定されている。これにより、分配管１２の下流側端部が連結片部５ｇに連結具１６を介して連結固定されている。
【００１９】
上記構成のガスメータの支持装置１において、取付部材３を支持バー２Ａ，２Ｂに取り付ける場合には、まず支持バー２Ａを係合凹部４ａにその下方から挿入する。これによって、取付部材３を支持バー２Ａに支持させる。その後、取付部材３を支持バー２Ｂにボルト８及び係合板７によって固定する。これによって、取付部材３が支持バー２Ａ，２Ｂに固定状態で取り付けられる。
【００２０】
このように、支持装置１によれば、取付部材３を支持バー２Ａ，２Ｂに取り付ける前に、取付部材３を支持バー２Ａに支持させることができるから、取付部材３の支持バー２Ｂへの固定時にはボルト８及び係合板７を両手で取り扱うことができる。よって、ボルト８及び係合板７による固定作業を容易に行うことができる。これは、ガスメータが取付部材３に予め取り付けられている場合に特に有利である。
なお、取付部材３のうちの縦板部４及び載置板部５だけを支持バー２Ａ，２Ｂに取り付けた後、載置板部５に支持板部６を取り付けてもよい。その場合、ガスメータは、支持板部６が載置板部５に取り付けられる前と後とのいずれにおいて支持板部６に取り付けてもよい。
【００２１】
また、取付部材３が係合凹部４ａに挿入された支持バー２Ａによって支持されるとともに、前後方向へ移動不能に係合するので、取付部材１を支持バー２Ｂに固定するためのボルト８の数を減らすことができる。したがって、固定作業をより一層容易に行うことができる。
【００２２】
図９〜図１１は、この発明の第２実施の形態を示す。この実施の形態のガスメータの支持装置１′においては、支持バー２Ａ，２Ｂに代えて一つの支持部材２′が用いられている。支持部材２′は、厚さが薄い中空の直方体状をなすものであり、その長手方向を水平方向に向けるとともに、その厚さ方向を水平方向に向けた状態で配置されている。そして、支持部材２′の長手方向の一端部がパイプシャフトや家屋の側壁Ｗに固定されている。支持部材２′の上部が係合凹部４ａに前後方向へ移動不能に挿入されている。また、ボルト８が支持部材２′に形成されたねじ孔（図示せず）に螺合されている。その他の構成は、上記の実施の形態と同様である。
【００２３】
なお、この発明は、上記の実施の形態に限定されるものでなく、その要旨を逸脱しない範囲において適宜変更可能である。
例えば、上記の実施の形態においては、支持部材を水平に配置しているが、上下方向に立設してもよい。
【図面の簡単な説明】
【００２４】
【図１】この発明の第１実施の形態の一部省略正面図である。
【図２】同平面図である。
【図３】図１のＸ−Ｘ線に沿う断面図である。
【図４】図１のＹ−Ｙ線に沿う断面図である。
【図５】同実施の形態の支持バー及び取付部材を示す一部省略正面図である。
【図６】同平面図である。
【図７】図５のＸ−Ｘ線に沿う断面図である。
【図８】同支持バー及び取付部材を示す一部省略斜視図である。
【図９】この発明の第２実施の形態を示す正面図である。
【図１０】同平面図である。
【図１１】図９のＸ矢視図である。
【符号の説明】
【００２５】
１  支持装置
１′  支持装置
２′  支持部材
２Ａ  支持バー（支持部材）
２Ｂ  支持バー（支持部材）
３  取付部材
４  縦板部
４ａ  係合凹部
４ｂ  底板部
４ｃ  後板部
５  載置板部
５ｆ  連結部
５ｇ  連結部
６  支持板部
７  係合板
８  締付ボルト
１１  ガス栓（一次側接続管）
１１ａ  上流側端部
１１ｂ  下流側端部
１２  分配管（二次側接続管）
１２ａ  上流側端部
１２ｂ  下流側端部
１５  連結具
１６  連結具
【図１】
2007225375.tif 000003
【図２】
2007225375.tif 000004
【図３】
2007225375.tif 000005
【図４】
2007225375.tif 000006
【図５】
2007225375.tif 000007
【図６】
2007225375.tif 000008
【図７】
2007225375.tif 000009
【図８】
2007225375.tif 000010
【図９】
2007225375.tif 000011
【図１０】
2007225375.tif 000012
【図１１】
2007225375.tif 000013